(57)【要約】【課題】  遊技機への取付作業、特に、遊技機の筐体内部への取り付け作業を必要とせず、有効に遊技機のフロントドアの開放による不正行為を抑止しうる遊技機におけるドア開閉検知センサ装置を提供する。【解決手段】遊技パーラーに設置された夫々の遊技機の上方に固定され、遊技機のフロントドアの開放状態を検知しうるセンサ装置であって、上記遊技機の上方においてフロントドアよりも前方に突出配置され、センサ装置起動時には、上記フロントドアが閉止している状態を認識しており、上記フロントドアが開放された場合には、上記開放状態を認識してドア開放検知信号を発信する。【選択図】  図２
2008188060.tif 000002
【特許請求の範囲】
【請求項１】
遊技機ホールに設置された夫々の遊技機の上方に配置され、遊技機のフロントドアの開放状態を検知しうるセンサ装置であって、
上記遊技機のフロントドア上方に配置され、センサ装置起動時には、上記フロントドアが閉止している状態を認識しており、上記フロントドアが開放された場合には、上記開放状態を認識してドア開放検知信号を発信することを特徴とする遊技機のフロントドア開状態検知センサ装置。
【請求項２】
赤外線センサからなるフロントドア開放検知センサと、上記遊技機のフロントドア開放検知センサが検知したフロントドアの閉止状態の情報を記憶し、上記情報との対比によりフロントドアの開放状態を認識しうる制御部を備えていることを特徴とする請求項１記載の遊技機のフロントドア開放検知センサ装置。
【請求項３】
上記遊技機のドア開放状態を検知した場合には、第三者に当該遊技機のドア開放の事態を報知しうる表示部が設けられていることを特徴とする請求項１又は２のいずれか１項に記載の遊技機のフロントドア開状態検知センサ装置。
【請求項４】
上記表示部はＬＥＤにより形成され、上記制御部により点灯制御されることを特徴とする請求項２記載の遊技機のフロントドアの開状態検知センサ装置。
【請求項５】
島に設置された複数の遊技機の上方には、上記各遊技機毎に設けられた夫々のセンサ装置を相互に電気的に接続する電気配線を被覆する単一の配線カバー部材が設けられ、上記センサ装置は上記配線カバー部材に一体的に設けられていることを特徴とする請求項３又は４のいずれか１項に記載の遊技機のフロントドア開状態検知センサ装置。
【請求項６】
上記センサ装置は、上記配線カバー部材が遊技機の上方に設置された場合には、フロントドアの開放側端部に配置されるように上記配線カバー部材に固定されていることを特徴とする請求項５記載のフロントドア開放検知センサ装置。 
【請求項７】
島に設置された複数の遊技機に対応する夫々のセンサ装置のいずれかがドア開放状態を検知した場合には、当該島に設置された全ての遊技機に対応する上記センサ装置の表示部が点灯すると共に、開放状態を検知したセンサ装置の表示部は点滅するように構成されていることを特徴とする請求項請求項５又は６のいずれか１項に記載の遊技機のフロントドア開状態検知センサ装置。
【発明の詳細な説明】
【技術分野】
【０００１】
本発明は、遊技機の遊技機のフロントドア開放検知センサ装置に係り、特に、遊技機のフロントドアを不正に開放する事態を検知しうる遊技機のフロントドア開放検知センサ装置に関する。
【背景技術】
【０００２】
従来より、遊技中に、遊技機のフロントドアを合鍵等を使用して開き、遊技機内部に装着されたコンピュータチップを不正に交換し、出球率を変更して不正な遊技結果を得ようとする犯罪が見られる。
【発明の開示】
【発明が解決しようとする課題】
【０００３】
このような不正な遊技機のフロントドアの不正な開放を防止するために、従来より、様々な、不正行為の防止手段が講じられている。例えば、図4 に示すように、遊技機６３の筐体６４内部に、筐体６４の上面板６５の裏面側において前端部に設けられたドア開閉検知センサ装置６０が存在する。
【０００４】
このような従来のドア検知センサ装置６０は、取付フレーム６１と、上記取付フレーム６１に固定されたセンサ装置本体部６２と、コイルスプリングにより形成され、上記センサ装置本体部６２に後端部が固定され、遊技機６３内部に取り付けられた場合には、遊技機６３の前方下方へ突出配置され、フロントドア(図示せず)が閉止された場合には先端部６６が下方に湾曲するように形成されたセンシングバー６８とを備えている。
【０００５】
そして、上記センサ装置本体部６２は、上記センシングバー６８の姿勢変化を物理的に検知した場合には検知信号を発するスイッチ部６９と、このスイッチ部６９の検知信号を送信する送信コード７０とを備えている。
このような従来の遊技機のドア検知センサ装置６０にあっては、上記センシングバー６８は遊技機６３のフロントドアを閉止した場合には、上記先端部６６はフロントドアの裏面側に当接して上記センシングバー６８は下方へ撓んでおり、上記センシングバー６８の後端部６７は上記スイッチ部６９をＯＦＦ状態に押圧している。
【０００６】
この場合、不正にフロントドアが開放された場合には、上記センシングバー６８の先端部６６が上方へ付勢力により変位し、上記後端部６７が上記スイッチ部６９をＯＮ状態として、遊技機を設置したホールの制御コンピュータへ検知信号を発することから、不正行為が行われた可能性がある旨をホール側では確認しうるように構成されている。
【０００７】
しかしながら、このような従来の遊技機におけるドア開閉検知センサ装置６０にあっては、遊技機６３の内部に装着されるものであり、ホール側において、遊技機６３を設置する際に、個々の遊技機６３に対して夫々に上記ドア開閉検知センサ装置６０を取り付けなければならず、遊技機６３の入れ替えを行う場合には、その都度、ドア開閉検知センサ装置６０の取り付けを行う必要があり、取付作業が煩雑であった。
【０００８】
そこで、本願発明の課題は、遊技機への取付作業、特に、遊技機の筐体内部への取り付け作業を必要とせず、有効に遊技機のフロントドアの開放による不正行為を抑止しうる遊技機におけるドア開閉検知センサ装置を提供することにある。
【課題を解決するための手段】
【０００９】
上記課題を解決するために請求項１記載の発明に係る遊技機のフロントドア開閉検知センサ装置は、遊技機ホールに設置された夫々の遊技機の上方に配置され、遊技機のフロントドアの開放状態を検知しうるセンサ装置であって、上記遊技機のフロントドア上方に配置され、センサ装置起動時には、上記フロントドアが閉止している状態を認識しており、上記フロントドアが開放された場合には、上記開放状態を認識してドア開放検知信号を発信することを特徴とする。
従って、請求項１記載の発明にあっては、上記センサ装置がフロントドアの開放の事態を認識した場合には、ドア開放検知信号をホールに備え付けられたコンピュータへ発信するように構成されている。
【００１０】
請求項２記載の発明にあっては、上記センサ装置は、赤外線センサからなるフロントドア開放検知センサと、上記遊技機のフロントドア開放検知センサが検知したフロントドアの閉止状態の情報を記憶し、上記情報との対比によりフロントドアの開放状態を認識しうる記憶部を備えていることを特徴とする。
従って、請求項２記載の遊技機のフロントドア開放検知センサ装置にあっては、上記記憶部は、遊技機のフロントドア開放検知センサが検知したフロントドアの閉止状態の位置情報を記憶し、その後に遊技機のフロントドア開放検知センサが取得したフロントドアの位置情報を比較するように構成され、双方の情報が異なる場合には、ホール側の制御コンピュータにフロントドア開放の報知信号を発する。
【００１１】
請求項３記載の発明に係る遊技機のフロントドア開状態検知センサ装置は、上記センサ装置にはドア開放状態を検知した場合には、点滅することにより第三者にドア開放を報知しうる表示部が設けられていることを特徴とする。
従って、請求項３記載の発明にあっては、上記センサ装置がフロントドアの開放を検知した場合には、同時に上記表示部が点滅し、ホールにいる遊技者ならびに係員にフロントドアが不正に開放された旨を報知する。
請求項４記載の発明に係る遊技機のフロントドア開状態検知センサ装置にあっては、上記表示部はＬＥＤにより形成され、上記制御部により点灯制御されることを特徴とする。
【００１２】
請求項５記載の発明に係る遊技機のフロントドア開状態検知センサ装置にあっては、島に設置された複数の遊技機の上方には、上記各遊技機毎に設けられた夫々のセンサ装置を相互に電気的に接続する電気配線を被覆する単一の配線カバー部材が設けられ、上記センサ装置は上記配線カバー部材に一体的に設けられていることを特徴とする。
従って、請求項５記載のフロントドア開放検知センサ装置にあっては、設置にあたっては、上記配線カバー部材を遊技機の上方に固定すればよい。 
請求項６記載の発明にあっては、上記センサ装置は、上記配線カバー部材が遊技機の上方に設置された場合には、フロントドアの開放側端部に配置されるように上記配線カバー部材に固定されていることを特徴とする。 
【００１３】
従って、請求項６記載のフロントドア開放検知センサ装置にあっては、センサはフロントドアの開放側端部の開放の如何をセンシングする。
請求項７記載の発明に係る遊技機のフロントドア開状態検知センサ装置にあっては、島に設置された複数の遊技機に対応する夫々のセンサ装置のいずれかがドア開放状態を検知した場合には、当該島に設置された全ての遊技機に対応する表示部が点灯すると共に、開放状態を検知したセンサ装置の表示部は点滅するように構成されていることを特徴とする。
【発明の効果】
【００１４】
請求項１記載の発明に係る遊技機のフロントドア開閉検知センサ装置にあっては、遊技パーラーに設置された夫々の遊技機の上方に固定されていることから、従来のセンサ装置のように遊技機の台を設置する場合に、個別に、台内部へ装着する必要がなく、取付費用を節減することができ、台外方に取り付けるため、従来のように、様々な装置類が装着された台内方においてセンサ装置の取付部位を選択、調整する必要がなく、取付作業も容易となる。
【００１５】
請求項２記載の発明にあっては、本発明に係るセンサ装置は赤外線センサ装置により構成され、従来のように、物理的なドアとの接触状態によりドア開放をセンシングするのではないことから、センシングバー、機械式スイッチ等の機械的構成要素を有するセンサ装置を設ける必要がなく、センサ装置の製作コストを低減することができる。
請求項３記載の発明に係る遊技機のフロントドア開状態検知センサ装置は、上記センサ装置にはドア開放状態を検知した場合には、点滅することにより第三者にドア開放を報知しうる表示部が設けられていることから、不正行為が行われた場合には、ホール従業員のみならず、遊技中の第三者に対しても不正行為が行われた旨の報知がなされ、不正行為の取り締まり及び抑止を徹底することができる。
【００１６】
請求項４記載の発明に係る遊技機のフロントドア開状態検知センサ装置にあっては、上記表示部はＬＥＤにより形成されていることから、高輝度の発光により報知されるため、第三者は容易に不正行為が行われたことを明確に認識することができる。
請求項５記載の発明に係る遊技機のフロントドア開状態検知センサ装置にあっては、島に設置された複数の遊技機の上方には、上記各遊技機毎に設けられた夫々のセンサ装置を相互に電気的に接続する電気配線を被覆する単一の配線カバー部材が設けられ、上記センサ装置は上記配線カバー部材に一体的に設けられていることから、遊技機をホールへ設置する場合に、遊技機上に、上記センサ装置が一体化されたカバー部材をアセンブリとして固定すればよいことから、センサ装置の装着作業が容易となる。
【００１７】
また、上記センサ装置はカバー部材と一体化されていることから、遊技客にも目立つことはなく、ホール内部の外観品質を維持することができる。
請求項６記載の発明にあっては、上記センサ装置は、上記配線カバー部材が遊技機の上方に設置された場合には、フロントドアの開放側端部に配置されるように上記配線カバー部材に固定されていることから、フロントドアの姿勢及び状態の変化を検知しやすく、フロントドアが不正に僅かに開放された場合であっても、フロントドア開放検知センサ装置が開放状態を検知することでき、迅速かつ効果的にフロントドアの開放状態を検知することが可能となる。 
【００１８】
請求項７記載の発明に係る遊技機のフロントドア開状態検知センサ装置にあっては、島に設置された複数の遊技機に対応する夫々のセンサ装置のいずれかがドア開放状態を検知した場合には、当該島に設置された全ての遊技機に対応する表示部が点灯すると共に、開放状態を検知したセンサ装置の表示部は点滅するように構成されていることから、不正が行われた旨の第三者への報知を容易かつ効率的に行うことができる。
【発明を実施するための最良の形態】
【００１９】
以下、添付図面に示す実施の形態に基づき、本願発明を詳細に説明する。
図１に示すように、本実施の形態に係る遊技機のフロントドア開放検知センサ装置１０は、遊技機ホールに設置された夫々の遊技機１１の上方に配置され、遊技機のフロントドア１２の開放状態を検知しうるセンサ装置であって、上記遊技機１１の上方においてフロントドア１２よりも前方に突出配置されている。
【００２０】
即ち、島１３に設置された複数の遊技機１１，１１・・・の上方には、上記各遊技機１１毎に設けられた夫々の上記センサ装置１０を相互に電気的に接続する電気配線を被覆する単一の配線カバー部材１４が設けられており、上記センサ装置１０は上記配線カバー部材１４に一体的に設けられている。
図２に示すように、上記配線カバー部材１４は、島１３の長さ方向に沿って、遊技機１１が配置される部位の長さ寸法と略同一の長さ寸法に形成されており、島１３の長さ方向全域に亘って、各遊技機１１，１１・・・の上方直近に固定され、図３に示すように、上記配線カバー部材１４には夫々の遊技機の上方右端部に夫々、フロントドア開放検知センサ装置１０が配置されるように間隔を置いて一体に設けられている。
【００２１】
図２に示すように、本実施の形態にあっては、上記フロントドア開放検知センサ装置１０は、平面及び側面略台形状であって上記配線カバー部材１４の側面部１５から突出して設けられており、島１３に設置された場合には、各遊技機１１の上方において正面右端部において前方に突出して配置される。
本実施の形態にあっては、各遊技機１１のフロントドア１２は正面側左ヒンジであって、正面側右端部側から開放されるように構成されており、上記センサ装置１０は上記フロントドア１２の開放側端部２１をセンシングしうるように構成されている。
【００２２】
また、本実施の形態にあっては、遊技機のフロントドア開放検知センサ装置１０は、赤外線センサからなるフロントドア開放検知センサと、上記遊技機のフロントドア開放検知センサがフロントドアの閉止状態を検知した場合に当該情報を記憶する「起動モード」と、上記「起動モード」成立以後に新たな検知信号を受信した場合には、当該検知信号と上記フロントドアの閉止状態の信号情報との対比によりフロントドアの開放状態を認識しうる「検知モード」とを形成でき、「検知モード」において開放状態を認識した場合にはホール側のコンピュータに開放状態を放置する報知信号を発信しうるマイクロコンピュータを内蔵している。
上記フロントドア開放検知センサ装置１０の赤外線センサは、いわゆるアクティブ方式の赤外線センサであり、赤外線送受光部１７を備えており、赤外線を送信すると共に、対象物に照射した場合に反射してくる赤外線を受信して適宜電気信号に変換して、マイクロコンピュータへ伝達するように構成されている。
【００２３】
本実施の形態に係るフロントドア開放検知センサ装置１０は、ボディ１８と、上記ボディ１８の下面部に露出して装着された赤外線双受光部１７と、上記ボディ１８の両側面部に露出して装着された表示部１９，１９とを有し、上記赤外線送受光部１７から遊技機１１，１１・・・の盤面２０に沿って下方へ赤外線を照射して赤外線の送受光を行い、フロントドア１２の姿勢の変化を検知するように構成されている。
上記全てのフロントドア開放検知センサ装置１０は、相互に電気的に接続されると共に、上記ホールコンピュータに電気的に接続されている。
【００２４】
従って、フロントドア開放検知センサ装置１０に電源が投入されて起動した場合には、上記センサ装置１０は、上記「起動モード」に設定され、上記フロントドア１２が閉止している状態を、上記赤外線送受光部１７においてフロントドア１２へ照射される赤外線の反射光を受光することによりフロントドア１２の閉止位置をセンシングする。
この場合、各遊技機１１はフロントドア１２の表面部のデザインによって、適宜、盤面２０の前方へ突出して設けられた各構成部材があり、各遊技機メーカにより突出した構成部材の配置状態は異なるが、上記各構成部材の突出状態を含め、フロントドア１２の上方からのフロントドアの端部位置をセンシングする。
【００２５】
また、各メーカーの遊技機１１によりフロントドア１２の厚さ寸法、前方への突出量も異なり、設置された遊技機のフロントドア開放検知センサ１０の遊技機１１の厚さ方向における位置が、フロントドア１２の表面側の一般面よりも厚さ方向裏面側寄りになり、遊技機のフロントドア開放検知センサ装置１０が、遊技機１１の表面側一般面よりも前出しない場合もある。
このような場合であっても、遊技機のフロントドア開放検知センサ装置１０のセンサは「起動モード」において、「フロントドアの端部位置を認識できない」という検知情報を有すことから、上記内蔵されているマイコンは、センサから発せられた上記検知情報を「起動モード」における情報として保持し、次の「検知モード」における対比情報を待つこととなる。
【００２６】
次に、上記フロントドアの上方からの輪郭形状の認識を完了した場合には、マイクロコンピュータは即時にセンサを「検知モード」へ移行させる。
この「検知モード」において、上記フロントドア１２が開放された場合には、センサは新たなフロントドア１２の端部位置を検出し、マイクロコンピュータは上記「検知モード」で取得されたフロントドア１２の位置情報と対比し、相違すると判断した場合には、「フロントドアが開放された」と判断し、ドア開放検知信号をホールの制御コンピュータに対して発信するものである。
また、上記センサ装置１０には、上述のように、センサが遊技機１１のドア開放状態を検知した場合には、第三者に当該遊技機のフロントドア開放の事態を報知しうる表示部１９，１９が設けられている。上記表示部１９，１９はＬＥＤにより形成されている。
従って、フロントドア開放検知センサ装置１０によりフロントドアの開放の事態が検知された場合には、上記制御部は、受光した赤外線を電気信号に変換し、ホールコンピュータへドア開放検知信号を送信すると共に、上記表示部１９，１９に対して、表示部１９，１９を点滅させる信号を発信するように構成されている。
【００２７】
また、そして、島１３に設置された複数の遊技機１１，１１・・・の上方には、上記各遊技機１１，１１・・・毎に設けられた夫々のセンサ装置１０は、配線カバー部材１４内に配設された電気配線により相互に電気的に接続され、当該島内において、いずれか１箇所のフロントドア開放検知センサ装置１０がフロントドアの開放を検知した場合には、当該島１３に設置された全ての遊技機１１に対応する上記センサ装置１０の表示部１９が点灯すると共に、開放状態を検知したセンサ装置１０の表示部１９は点滅するように構成されている。
【００２８】
（作用）
以下、本実施の形態に係る遊技機のフロントドア開放検知センサ装置１０の作用について説明する。
まず、ホールへの遊技機１１の取り付け時においては、島１３に互いに隣接して配置固定された各遊技機１１，１１・・・の上方に、フロントドア開放検知センサ装置１０が一体に設けられると共に、各フロントドア開放検知センサ１０の電気配線が内部に設けられた上記配線カバー部材１４を固定する。
【００２９】
上記フロントドア開放検知センサ装置１０は、設置された場合に、各遊技機１１の右端部上方に配置されるように、各遊技機１１の幅寸法分互いに離間して固定されていることから、夫々が夫々の遊技機１１の右端部上方に配置される。
【００３０】
その後、フロントドア開放検知センサ装置１０の配線をホールコンピュータに接続することにより設置は完了する。その後、本実施の形態に係るフロントドア開放検知センサ装置１０を使用する際には、フロントドア開放検知センサ装置１０の電源を投入して起動状態とする。
【００３１】
この場合、上述のように、上記センサ装置１０は、上記マイクロコンピュータにより制御されて、電源投入と同時に、まず、「起動モード」に設定され、上記フロントドア１２が閉止している状態を、上記のように遊技機のフロントドア開放検知センサ１０の取付位置が、フロントドア１２の表面側の一般面よりも前方であるか否かに関らず、上記赤外線送受光部１７において照射される赤外線の反射光を受光することにより上記フロントドア１２の端部位置を検出する作業を行い、遊技機のフロントドア開放検知センサ装置１０がフロントドア１２の表面側の一般面よりも前出して配置されている場合には、フロントドア１２の端部位置を検出してその旨の電気信号をマイクロコンピュータへ送り、また、遊技機のフロントドア開放検知センサ装置１０がフロントドア１２の表面側一般面よりも厚さ方向において後退して配置されている場合には、「検知できない」旨の電気信号をマイクロコンピュータへ送る。
上記フロントドアの端部の厚さ方向における位置の認識を完了した場合には、マイクロコンピュータは、即時に、センサを「検知モード」へ移行させる。
【００３２】
この「検知モード」において、上記フロントドア１２が開放されフロントドア１２の
新たな端部位置をセンサが検知した場合には、センサはその旨の電気信号をマイクロコンピュータへ送り、マイクロコンピュータは、上記「起動モード」におけるフロントドアの位置の検知信号と対比して異なる場合には、「フロントドアの開放が行われた」ものと判断し、ドア開放の報知信号をホールコンピュータに対して発信すると共に、表示部１９，１９へ信号を送り、当該表示部１９，１９を点滅させる。
また、同時に、マイクロコンピュータは、当該ドアの開放状態を検知した当該遊技機１１のみならず、不正なフロントドア１２が開放された島全体の遊技機１１に対応する遊技機のフロントドア開放検知センサ装置１０に設けられた表示部１９，１９を点灯させる制御を行う。
【００３３】
上記表示部１９，１９の点滅及び点灯により、当該ホールの従業員及び他の遊技者は不正にフロントドアが開放された遊技機１１を特定することができると共に、可能な場合には、不正な遊技者を特定することも可能となる。従って、不正行為を有効に抑止、もしくは摘発することができる。
本実施の形態に係る遊技機のフロントドア開放検知センサ装置１０にあっては、上記のように配線カバー部材１４に一体に各遊技機１１に固定されていることから、従来のように個別的に遊技機１１に装着する必要がなく、取付作業が容易である。
また、配線カバー部材１４を各遊技機１１の上方に配置固定するのみで設置が完了することから、従来のように、個々の遊技機１１の内部に装着する必要もなく、装着作業が極めて容易である。
【００３４】
また、本実施の形態にあっては、遊技機１１の上方においてドア開放側端部である正面右端部側にフロントドア開放検知センサ装置１０が配置されることから、正面右端側においてはフロントドア１２の開放動作が大きく、不正にフロントドア１２が開放された場合にはセンサ装置１０は容易、確実かつ迅速に、フロントドア１２の開放状態を認識することができる。
また、本実施の形態にあっては、センサとして赤外線センサを使用していることから、製作コストを低減することができ、製作コストを嵩ませることなく、不正行為を防止又は抑止することができる。
【００３５】
なお、本実施の形態にあっては、フロントドア開放検知センサ装置１０のセンサとして赤外線センサを使用した場合を例に説明したが、本実施の形態に限定されることなく、
例えば、レーザーセンサ、超音波センサ等の他のセンサを使用することもできる。
【図面の簡単な説明】
【００３６】
【図１】本発明に係る遊技機のフロントドア開放検知センサ装置の一実施の形態を示し、島に設置された状態を示す概略図である。
【図２】本発明に係る遊技機のフロントドア開放検知センサの一実施の形態を拡大して示す斜視図である。
【図３】本発明に係る遊技機の遊技機のフロントドア開放検知センサの一実施の形態を示し、配線カバー部材に一体に複数のフロントドア開放検知センサ装置が設けられている状態を示す図である。
【図４】従来の遊技機のフロントドア開放検知センサの一例を示す斜視図である。
【符号の説明】
【００３７】
１０  フロントドア開放検知センサ装置
１１  遊技機
１２  フロントドア
１３  島
１４  配線カバー部材
１５  側面部
１６  右端部
１７  赤外線送受光部
１８  ボディ
１９  表示部
２０  盤面
２１  開放側端部
６０  ドア検知センサ装置
６１  取付フレーム
６２  センサ装置本体部
６３  遊技機
６４  筐体
６５  上面版
６６  先端部
６７  後端部
６８  センシングバー
６９  スイッチ部
７０  送信コード
【図１】
2008188060.tif 000003
【図２】
2008188060.tif 000004
【図３】
2008188060.tif 000005
【図４】
2008188060.tif 000006